(57)【要約】【課題】イナーティング作業に掛かる作業時間を短縮することが可能な燃料タンクのイナーティング方法及び浮体を提供する。【解決手段】燃料タンクのイナーティング方法は、点検前のイナーティングで、複数の前記燃料タンクのうちの一部の燃料タンクを大気圧よりも高圧のイナートガスで満たす点検前イナーティング工程（Ｓ０１）と、前記一部の燃料タンクとは異なる点検中に開放された他のガス燃料タンクに対して、前記一部の燃料タンクに満たされた高圧のイナートガスの一部を供給する点検後イナーティング工程（Ｓ０４）と、含む。【選択図】図３
2018176886.tif 000002
【特許請求の範囲】
【請求項１】
浮体に複数設けられた燃料タンクのイナーティング方法であって、
点検前のイナーティングで、複数の前記燃料タンクのうちの一部の燃料タンクを大気圧よりも高圧のイナートガスで満たす点検前イナーティング工程と、
前記一部の燃料タンクとは異なる他の燃料タンクのうち、点検中に開放された前記他の燃料タンクに対して、前記一部の燃料タンクに満たされた前記高圧のイナートガスの一部を供給する点検後イナーティング工程と、
を含む燃料タンクのイナーティング方法。
【請求項２】
前記点検後イナーティング工程では、
前記他の燃料タンクの内圧が大気圧となるように圧力を調整する請求項１に記載の燃料タンクのイナーティング方法。
【請求項３】
前記点検前イナーティング工程では、
前記浮体の備えるカーゴタンク用のイナートガス発生装置で発生させたイナートガスを前記燃料タンクに供給する請求項１又は２に記載の燃料タンクのイナーティング方法。
【請求項４】
主機関と、
前記主機関に燃料を供給する複数の燃料タンクと、
これら燃料タンクを互いに連通状態で接続する接続配管と、
前記接続配管に設けられて前記接続配管により接続された燃料タンク同士の圧力を調整可能な圧力調整弁と、
を備える浮体。
【請求項５】
カーゴタンクと、
カーゴタンクをイナーティングするイナートガス発生装置と、
前記イナートガス発生装置と、前記カーゴタンクとを接続する第一配管と、
前記第一配管から分岐して前記第一配管と複数の前記燃料タンクとをそれぞれ連通状態にする第二配管と、
前記第一配管から前記第二配管へのイナートガスの流入を遮断可能な開閉弁と、
を備える請求項４に記載の浮体。
【発明の詳細な説明】
【技術分野】
【０００１】
この発明は、燃料タンクのイナーティング方法及び浮体に関する。
【背景技術】
【０００２】
ＬＰＧ（liquefied petroleum gas）タンカー等の船舶においては、定期点検等でドックに入る際に、カーゴタンクの中をガスフリーにする必要が有る。その際、液化石油ガス等に酸素が触れることを防止するため、一般に、液化石油ガスを不活性な窒素ガスなどのイナートガスに置き換えてカーゴタンク内をイナートガスで満たすイナーティング工程が行われる。このイナーティング工程は、点検後の液化石油ガスを貯蔵する前にも行われ、この場合、カーゴタンク内の空気がイナートガスに置き換えられる。
【０００３】
特許文献１には、油輸送船の油槽内にイナートガスを供給可能な船舶が記載されている。この特許文献１においては、補助ボイラの排気ガスをイナートガスとして利用している。このイナートガスの酸素濃度は、５％以下にする必要が有るため、特許文献１では、補助ボイラを高負荷運転し、この高負荷運転時に補助ボイラで発生した余剰な蒸気を、復水器に送り込んでいる。
【先行技術文献】
【特許文献】
【０００４】
【特許文献１】実開昭５８−１６４９９９号公報
【発明の概要】
【発明が解決しようとする課題】
【０００５】
特許文献１のようにカーゴタンクを備えた船舶においては、イナーティングを行うための設備を船上に有している場合が多い。しかしながら、カーゴタンクを備えずに燃料タンクのみを備える船舶等の浮体においては、例えば、バンカー船や港湾設備等の外部からイナートガスを供給する必要が有り、イナーティング作業が煩雑になるとともにイナーティングに時間が掛かってしまうという課題がある。
また、カーゴタンクを備えた船舶等の浮体においても、カーゴタンクにイナートガスを供給している間は、燃料タンクにイナートガスを供給することができず、イナーティング作業に時間が掛かってしまう。
この発明は、上記事情に鑑みてなされたものであり、イナーティング作業に掛かる作業時間を短縮することが可能な燃料タンクのイナーティング方法及び浮体を提供するものである。
【課題を解決するための手段】
【０００６】
上記の課題を解決するために以下の構成を採用する。
この発明の第一態様によれば、燃料タンクのイナーティング方法は、浮体に複数設けられた燃料タンクのイナーティング方法であって、点検前のイナーティングで、複数の前記燃料タンクのうちの一部の燃料タンクを大気圧よりも高圧のイナートガスで満たす点検前イナーティング工程と、前記一部の燃料タンクとは異なる他の燃料タンクのうち、点検中に開放された前記他の燃料タンクに対して、前記一部の燃料タンクに満たされた前記高圧のイナートガスの一部を供給する点検後イナーティング工程と、を含む。
このように構成することで、一部の燃料タンクに点検前に充填された高圧のイナートガスを、その圧力により点検後の他の燃料タンクに送り込むことができる。すなわち、一部の燃料タンクに充填されているイナートガスを用いて、他の燃料タンクに対する点検後のイナーティングを行うことができる。これにより、点検後に他の燃料タンクに対して船外からイナートガスを供給する必要が無くなる。また、浮体のカーゴタンクのイナーティング作業をしている場合であっても、燃料タンクのイナーティング作業を並行して実施することができる。その結果、イナーティングにかかる作業時間を短縮することができる。
【０００７】
この発明の第二態様によれば、第一態様に係る点検後イナーティング工程では、前記他の燃料タンクの内圧が大気圧となるように圧力を調整するようにしても良い。
このように構成することで、他の燃料タンクにおけるイナートガスの圧力を適正な圧力にすることができる。そのため、他の燃料タンクに対して無駄にイナートガスが供給されることを抑制できる。
【０００８】
この発明の第三態様によれば、第一又は第二態様に係る点検前イナーティング工程では、前記浮体の備えるカーゴタンク用のイナートガス発生装置で発生させたイナートガスを前記燃料タンクに供給するようにしてもよい。
このように構成することで、カーゴタンクへのイナートガスの供給と並行して、又はカーゴタンクにイナートガスを供給していないときに、浮体が備えるカーゴタンク用のイナートガス発生装置を用いて、一部の燃料タンクに対してイナートガスを供給することができる。したがって、カーゴタンク用のイナートガス発生装置を有効利用することができる。
【０００９】
この発明の第四態様によれば、浮体は、主機関と、前記主機関に燃料を供給する複数の燃料タンクと、これら燃料タンクを互いに連通状態で接続する接続配管と、前記接続配管に設けられて前記接続配管により接続された燃料タンク同士の圧力を調整可能な圧力調整弁と、を備える。
このようにすることで、燃料タンク間の差圧を用いてイナートガスを接続配管経由で移動させることが可能となる。さらに、圧力調整弁を備えていることで、接続配管を介して供給されるイナートガスの圧力を調整することができる。したがって、一部の燃料タンクに点検前に充填されているイナートガスを用いて、他の燃料タンクに対する点検後のイナーティングを行うことができるため、イナーティングにかかる作業時間を短縮することができる。
【００１０】
この発明の第五態様によれば、第四態様に係る浮体は、カーゴタンクと、カーゴタンクをイナーティングするイナートガス発生装置と、前記イナートガス発生装置と、前記カーゴタンクとを接続する第一配管と、前記第一配管から分岐して前記第一配管と複数の前記燃料タンクとをそれぞれ連通状態にする第二配管と、前記第一配管から前記第二配管へのイナートガスの流入を遮断可能な開閉弁と、を備えていてもよい。
このように構成することで、開閉弁を開放状態にすれば、カーゴタンク用のイナートガス発生装置で発生させたイナートガスを、第一配管から第二配管を介して燃料タンクに供給することができる。すなわち、カーゴタンクへのイナートガスの供給と並行して、又はカーゴタンクにイナートガスを供給していないときに、浮体が備えるカーゴタンク用のイナートガス発生装置を用いて、燃料タンクにイナートガスを供給することができる。その結果、例えば、既設のカーゴタンク用のイナートガス発生装置を、燃料タンクにイナートガスを充填するためのイナートガス発生装置として有効利用することができる。
【発明の効果】
【００１１】
上記燃料タンクのイナーティング方法及び浮体によれば、イナーティング作業に掛かる作業時間を短縮することができる。
【図面の簡単な説明】
【００１２】
【図１】この実施形態の浮体の概略構成を示す構成図である。
【図２】この発明の実施形態におけるイナーティングシステムの概略構成を示す図である。
【図３】この発明の実施形態におけるガス燃料タンクのイナーティング方法のフローチャートである。
【図４】この発明の実施形態の変形例における、イナーティングシステムの概略構成を示す図である。
【発明を実施するための形態】
【００１３】
次に、この発明の実施形態におけるガス燃料タンクのイナーティング方法及び浮体を図面に基づき説明する。
この実施形態における浮体としては、液化石油ガス（ＬＰＧ；liquefied petroleum gas）を運搬するいわゆるＬＰＧ運搬船を一例に説明する。
【００１４】
（実施形態）
図１は、この第一実施形態の浮体の概略構成を示す構成図である。なお、図１において、船体２の船首尾方向を矢印で示しており、それぞれ船首側を「Ｆ」、船尾側を「Ａ」としている。
図１に示すように、この実施形態における浮体である船舶１は、船体２と、カーゴタンク３と、エンジン４と、上部構造５と、ガス燃料タンク６と、イナートガス発生装置ＩＧＧ（図２参照）と、を備えている。
船体２は、一対の舷側７（図１中、右舷側のみ示す）と、船底８と、上甲板９と、を有している。上甲板９は、最も上方に位置する全通甲板であって、この実施形態における船体２では、暴露甲板である。また、船体２の内部には、カーゴホールド１０と、主機室１１とが区画されている。さらに、船体２は、船尾２Ａの下方にスクリュー１２と舵１３とを備えている。
【００１５】
カーゴホールド１０は、カーゴタンク３を収容する空間である。この実施形態で例示する船舶１は、船首２Ｆから船尾２Ａに向かって複数（より具体的には、３つ）のカーゴホールド１０が並んで配置されている。これらカーゴホールド１０は、仕切壁１０ａによって、それぞれ船首尾方向に区画されている。
【００１６】
主機室１１は、エンジン４を収容する区画であり、カーゴホールド１０よりも船尾２Ａ側に配置されている。また、主機室１１は、上部構造５の下方に配置されている。この実施形態における主機室１１は、二重底を形成する内側の底板１４と、その一つ上に形成された甲板１５とにより上下が区画されている。
【００１７】
カーゴタンク３は、液化石油ガスを貯蔵可能な積荷用のタンクである。カーゴタンク３は、上述した複数のカーゴホールド１０にそれぞれ一つずつ収容されている。すなわち、カーゴタンク３も、カーゴホールド１０と同様に船首尾方向に並んで複数配置されている。カーゴタンク３は、より多くの液化石油ガスを運搬するために、液化石油ガスを冷却液化させて体積を小さくした状態で貯蔵することが可能になっている。これらカーゴタンク３に貯蔵された液化石油ガスは、一般に、船舶１が航行するための燃料とは区別して、船舶１が航行するための燃料として使用されないようにすることもできる。
【００１８】
エンジン４は、液化石油ガスを燃料として駆動可能とされている。エンジン４は、スクリュー１２を回転させて推力を発生させる。エンジン４は、上述した主機室１１に収容されている。ここで、エンジン４の燃料は、液化石油ガスのみに限られず、液化石油ガスと他の燃料との併用（バイフューエル）や、混合（デュアルフューエル）等であってもよい。さらに、エンジン４は、スクリュー１２を駆動するものに限られない。例えば、エンジン４によって発電機を駆動するようにしても良い。このエンジン４は、通常は、ガス燃料タンク６に貯蔵された液化石油ガスを用いて駆動される。
【００１９】
上部構造５は、上甲板９の上に形成されており、船橋や居住区等を備えている。この上部構造５は、船首尾方向でカーゴホールド１０よりも船尾２Ａ側となる位置で、且つ主機室１１の上方となる位置に配置されている。
【００２０】
ガス燃料タンク６は、上述したエンジン４の燃料である液化石油ガスを貯蔵する。この実施形態で例示するガス燃料タンク６は、上甲板９の上に複数設置されている。より具体的には、複数のガス燃料タンク６は、カーゴホールド１０の上方の上甲板９の上に設置されている。ガス燃料タンク６は、液化石油ガスを常温で液体の状態を維持できるように、液化石油ガスを加圧状態で貯蔵可能な加圧式の容器（圧力タンク）となっている。
【００２１】
この実施形態の船舶１においては、ガス燃料タンク６が円柱状の圧力タンクである、いわゆるＴｙｐｅ−Ｃタンクの場合を例示している。また、ガス燃料タンク６が２つ設けられている場合を一例に説明している（図２参照）。さらに、これらガス燃料タンク６は、その長手方向が船首尾方向と一致する姿勢で配置されている。しかし、ガス燃料タンク６は、これら形状、個数、配置に限られるものでは無い。
【００２２】
図２は、この発明の実施形態におけるイナーティングシステムの概略構成を示す図である。
イナートガス発生装置ＩＧＧは、船舶１の点検前及び点検後に行うイナーティング工程において用いるイナートガスを発生させる。図２に示すように、イナートガス発生装置ＩＧＧは、複数のカーゴタンク３にそれぞれイナートガスを選択的に供給するためのイナートガス供給配管２０を介して接続されている。ここで、「点検前」とは、カーゴタンク３やガス燃料タンク６の点検や補修のために船舶１がドックに入る前などを意味し、「点検後」とは、点検や補修が完了して船舶１がドックを出た後などのことをそれぞれ意味している。つまり、「点検」に限られるものではない。また、以下の説明では、船舶１がドックに入る場合を一例に説明するが、ドックに入る場合に限られない。例えば、ドックの外で点検や補修等を行ってもよい。また、カーゴタンク３を有している船舶１であっても、イナートガス発生装置ＩＧＧを備えていない場合もある。その場合、図２において破線で示すように、イナートガス発生装置ＩＧＧの代わりに、バンカリングステーションＢＳを介してバンカー船等の船外設備からイナートガスを供給するようにしても良い。また、イナートガスの供給は、イナートガス発生装置ＩＧＧと、バンカリングステーションＢＳを介した上記の船外設備と、を併用したり、選択的に切り替えたりするようにしても良い。
【００２３】
イナートガス供給配管２０は、第一配管２１と、第二配管２２と、接続配管３０と、を備えている。
第一配管２１は、イナートガス発生装置ＩＧＧとカーゴタンク３とを接続している。この第一配管２１は、イナートガス発生装置ＩＧＧで発生したイナートガスを、カーゴタンク３に供給する流路を形成している。この第一配管２１により、イナートガス発生装置ＩＧＧのガス出口（図示せず）とカーゴタンク３の内部空間とをそれぞれ連通状態にすることが可能となっている。
【００２４】
第一配管２１は、第一主配管２３と、第一分岐配管２４とを備えている。
第一主配管２３は、イナートガス発生装置ＩＧＧのガス出口（図示せず）に接続され、イナートガス発生装置ＩＧＧにより生成したイナートガスを第一分岐配管２４に向けて案内する。
第一分岐配管２４は、複数本設けられ、第一主配管２３から分岐して複数のカーゴタンク３に接続されている。これら第一分岐配管２４には、それぞれ遮断弁２５が設けられており、これら遮断弁２５の開閉を切り替えることで、第一主配管２３から複数のカーゴタンク３に対して選択的にイナートガスを供給することが可能となっている。
【００２５】
第二配管２２は、第一配管２１（より具体的には、第一主配管２３）から分岐して第一配管２１と複数のガス燃料タンク６とをそれぞれ連通状態にする。第二配管２２は、第二主配管２６と、第二分岐配管２７と、を備えている。
第二主配管２６は、第一主配管２３を流れるイナートガスを第二分岐配管２７へと案内する。この第二主配管２６には、開閉弁２８が設けられている。開閉弁２８は、第二主配管２６の流路を開閉可能に構成され、第一配管２１から第二配管２２へのイナートガスの流入を遮断することが可能となっている。この開閉弁２８が開放されているときに、第一主配管２３を流れるイナートガスが第二主配管２６へ流入する。なお、第二主配管２６が第一主配管２３に分岐接続される場合について説明したが、この構成に限られない。例えば、第二主配管２６は、イナートガス発生装置ＩＧＧやバンカリングステーションＢＳに直接接続されていても良い。
【００２６】
第二分岐配管２７は、二本設けられ、第二主配管２６と、二つのガス燃料タンク６とをそれぞれ接続している。これら第二分岐配管２７には、それぞれ遮断弁２９が設けられている。これら遮断弁２９の開閉を切り替えることで、第二主配管２６から二つのガス燃料タンク６に対して選択的にイナートガスを供給することが可能となっている。この第二配管２２を介してガス燃料タンク６に供給されるイナートガスは、大気圧よりも高圧の加圧された状態（例えば、３ｂａｒ程度）で供給することが可能となっている。
【００２７】
接続配管３０は、二つのガス燃料タンク６を互いに連通状態で接続する。この接続配管３０には、圧力調整弁３１が設けられている。この圧力調整弁３１は、いわゆる減圧弁である。圧力調整弁３１は、二つのガス燃料タンク６のうち、第一タンク６ａから第二タンク６ｂに移動する気体が大気圧よりも僅かに高い圧力となるように圧力調整する。
なお、この実施形態においては、点検前に、第二分岐配管２７を介してそれぞれのガス燃料タンク６にイナートガスを供給する場合について説明した。しかし、この構成に限られるものでは無い。例えば、点検前においても接続配管３０を経由して、第一タンク６ａから第二タンク６ｂへ向けてイナートガスを供給するようにしても良い。また、このように構成する場合、第二タンク６ｂにイナートガスを供給する第二分岐配管２７は、省略しても良い。
また、その反対に、第二配管２２において、二つのガス燃料タンク６を互いに接続する第二分岐配管２７に圧力調整弁３１を設けて接続配管３０を省略しても良い。
【００２８】
この実施形態においては、イナートガスが接続配管３０により第一タンク６ａから第二タンク６ｂに向けて流入させることが可能な場合を一例に説明するが、第二タンク６ｂから第一タンク６ａにイナートガスを流入させるようにしても良い。また、双方向にイナートガスをやり取り可能なように、二つのガス燃料タンク６の間に、イナートガスの流れる方向が互いに異なる二つの接続配管３０を並列に接続するようにしても良い。なお、接続配管３０の両端部に開閉弁３２を設け、接続配管３０の未使用時に開閉弁３２を閉塞位置し、接続配管３０の使用時に開閉弁３２を開放位置にするようにしてもよい。また、第一タンク６ａと第二タンク６ｂとには、それぞれベント弁Ｂが設けられている。
【００２９】
この実施形態における浮体である船舶１は、上述した構成を備えている。次に、この船舶１におけるイナーティング方法について図面を参照しながら説明する。なお、このイナーティング方法の説明においては、上述したガス燃料タンク６のうち、第二タンク６ｂが点検対象であり、第一タンク６ａが点検対象ではない場合を一例にして説明する。なお、ガス燃料タンク６のイナーティングについてのみ説明するが、並行してカーゴタンク３のイナーティングを行うようにしても良い。
【００３０】
図３は、この発明の実施形態におけるガス燃料タンクのイナーティング方法のフローチャートである。
図３に示すように、このイナーティング方法においては、まず、ガス燃料タンク６の定期点検等を行うべく船舶１がドックに入る前に、点検前イナーティング工程（ステップＳ０１）を行う。この点検前イナーティング工程では、ガス燃料タンク６の内部の液化石油ガスを、窒素ガスなどのイナートガスに置き換える。
【００３１】
このイナートガスは、イナートガス発生装置ＩＧＧによって発生させている。そして、この点検前イナーティング工程では、開閉弁２８を開放するとともに、２つの遮断弁２９を選択的に開放することで、第一タンク６ａ及び第二タンク６ｂに対してイナートガスを供給する。さらに、この点検前イナーティング工程では、複数のガス燃料タンク６のうち、例えば、点検対象ではない第一タンク６ａ（一部の燃料タンク）を大気圧よりも高圧のイナートガスで満たし、第二タンク６ｂ（他の燃料タンク）を大気圧のイナートガスで満たしている。なお、カーゴタンク３のイナーティング等を行っている場合、ガス燃料タンク６へ供給するイナートガスは、バンカー船等から供給するようにしても良い。
【００３２】
この実施形態の第一タンク６ａに供給されるイナートガスは、例えば、第一燃料タンク６ａの容積に対して大気圧下で２倍以上の体積となるように加圧されている。つまり、第一タンク６ａを満たす高圧のイナートガスは、その一部を第二タンク６ｂに送り込んだ場合に第二タンク６ｂを満たすことができる程度に加圧されている。
【００３３】
次に、船舶１がドックに入ると、点検対象である第二タンク６ｂを満たしているイナートガスを、送風機（図示せず）等を用いて空気に置き換えるガスフリー作業を行う（ステップＳ０２）。
その後、空気で満たされた第二タンク６ｂ内の作業（タンク内作業）として、例えば、点検及び補修などを行う（ステップＳ０３）。
【００３４】
第二タンク６ｂ内の作業が完了すると、船舶１は、ドックから出る。ドックから出た船舶１は、例えば、岸壁から離れて、点検後イナーティング工程（ステップＳ０４）を行う。
【００３５】
この点検後イナーティング工程においては、第一タンク６ａを満たしている高圧のイナートガスの一部を第二タンク６ｂに対して供給する。より具体的には、接続配管３０の両端部に設けられている開閉弁３２をそれぞれ閉塞状態から開放状態に動作させて、第一タンク６ａと第二タンク６ｂとを連通させる。これにより、第一タンク６ａのイナートガスが、圧力調整弁３１によって圧力調整されつつ第二タンク６ｂに供給される。このとき、第二タンク６ｂにおいては、イナートガスによって内部に残存する空気が排出口（図示せず）からタンク外部に押し出される。これにより、第二タンク６ｂが、イナートガスによって満たされる。そして、接続配管３０に設けられた開閉弁３２を閉塞させる。
【００３６】
次いで、イナートガスによって満たされた第二タンク６ｂに対して液化石油ガスを供給する作業を行う（ステップＳ０５）。この液化石油ガスを第二タンク６ｂに供給する作業は、例えば、船舶１を接岸させて陸上設備を用いて行ったり、船舶１を離岸させてバンカー船を用いて行ったりしても良い。また、この際に、第一タンク６ａに対して第二タンク６ｂと同様に液化石油ガスを供給しても良い。
【００３７】
したがって、上述した第一実施形態によれば、点検前に第一タンク６ａに充填された高圧のイナートガスを、その圧力により点検後の第二タンク６ｂに送り込むことができる。すなわち、点検対象ではない第一タンク６ａに充填されているイナートガスを用いて、点検対象である第二タンク６ｂに対する点検後のイナーティングを行うことができる。これにより、点検後の第二タンク６ｂに対して船外からイナートガスを供給する必要が無くなる。また、船舶１のカーゴタンク３のイナーティング作業をしている場合であっても、第二タンク６ｂのイナーティング作業を並行して実施することができる。その結果、ガス燃料タンク６のイナーティングに掛かる作業時間を短縮することができる。
【００３８】
さらに、接続配管３０に圧力調整弁３１が設けられていることで、第二タンク６ｂにおけるイナートガスの圧力を適正な圧力にすることができる。そのため、第二タンク６ｂに対して無駄にイナートガスが供給されることを抑制できる。
【００３９】
また、第二配管２２を備えるため、カーゴタンク３にイナートガスを供給していないときに、船舶１が備えるカーゴタンク用のイナートガス発生装置ＩＧＧを用いて、第一タンク６ａに対してイナートガスを供給することもできる。そのため、カーゴタンク３用のイナートガス発生装置ＩＧＧを、ガス燃料タンク６にイナートガスを発生させる装置として有効利用することができる。
【００４０】
（変形例）
図４は、この発明の実施形態の変形例における、イナーティングシステムの概略構成を示す図である。
上述した実施形態においては、ガス燃料タンク６に対して点検前にカーゴタンク３用のイナートガス発生装置ＩＧＧからイナートガスを供給する場合について説明した。しかし、この構成に限られるものではない。例えば、図４に示すように、イナートガスを、点検前にバンカリングステーションＢＳを経由して、バンカー船や陸上設備等の船外から供給するようにしても良い。
この変形例のようにすることで、例えば、イナートガス発生装置ＩＧＧを備えていない船舶（例えば、コンテナ輸送船等）であっても、ガス燃料タンク６に対して、上述したイナーティング方法と同様に点検後のイナーティングを行うことが可能となる。
【００４１】
なお、この発明は上述した実施形態及び変形例の構成に限られるものではなく、その要旨を逸脱しない範囲で設計変更可能である。
例えば、上述した実施形態及び変形例では、ガス燃料タンク６が２つ設けられている場合について説明した。しかし、ガス燃料タンク６は、複数であればよく、例えば、３つ以上であってもよい。
さらに、上述した実施形態においては、浮体として船舶１を一例に説明したが、浮体は船舶に限られない。例えば、浮体は、発電用浮体や、ＦＳＲＵ（Floating Storage and Re-gasification Unit）等であっても良い。
【００４２】
また、上述した実施形態では、一つのガス燃料タンク６を高圧のイナートガスで満たす場合について説明した。しかし、ガスフリーにする予定の無いガス燃料タンク６が２つ以上ある場合には、２つ以上のガス燃料タンク６を高圧のイナートガスで満たすようにしても良い。このようにした場合、これらのイナートガスを用いて、より多くのガス燃料タンク６に対して点検後のイナーティングを行うことが可能となる。
【００４３】
さらに、上述した実施形態では、主機関がエンジン４の場合について説明した。しかし、ガス燃料タンク６に貯蔵される液化石油ガスを用いて駆動される機関であれば、エンジン４に限られない。
また、ガス燃料タンク６の配置や主機室１１の配置等は、上述した実施形態の配置に限られない。
【００４４】
さらに、上述した実施形態と変形例との構成を組み合わせるようにしても良い。具体的には、船舶１に、イナートガス発生装置ＩＧＧとバンカリングステーションＢＳとを両方設けて、イナートガス発生装置ＩＧＧとガス燃料タンク６とが接続された状態、及び、バンカリングステーションＢＳとガス燃料タンク６とが接続された状態とを切り替え可能としてもよい。このようにすることで、船内と船外とから選択的にイナートガスをガス燃料タンク６に供給することができる。
【００４５】
また、上述した実施形態及び変形例においては、燃料タンクが液化石油ガスを加圧状態で貯蔵可能なガス燃料タンク６である場合について説明した。しかし、燃料タンクは、加圧されたイナートガスを収容可能な圧力タンクであればよく、貯蔵される燃料の種類は、液化石油ガスに限られない。
【符号の説明】
【００４６】
１  船舶
２  船体
３  カーゴタンク
４  エンジン（主機関）
５  上部構造
６  ガス燃料タンク（燃料タンク）
６ａ  第一タンク（一部の燃料タンク）
６ｂ  第二タンク（他の燃料タンク）
７  舷側
８  船底
９  上甲板
１０  カーゴホールド
１１  主機室
１２  スクリュー
１３  舵
１４  底板
１５  甲板
２０  イナートガス供給配管
２１  第一配管
２２  第二配管
２３  第一主配管
２４  第一分岐配管
２５  遮断弁
２６  第二主配管
２７  第二分岐配管
２８  開閉弁
３０  接続配管
３１  圧力調整弁
３２  開閉弁
ＩＧＧ  イナートガス発生装置
ＢＳ  バンカリングステーション
【図１】
2018176886.tif 000003
【図２】
2018176886.tif 000004
【図３】
2018176886.tif 000005
【図４】
2018176886.tif 000006